【事件の表示】
　平成　３年特許願第３０９２３６号「情報出力方法及び装置」拒絶査定に対する審判事件［平成　５年　６月１８日出願公開、特開平　５−１５３３１９］について、次のとおり審決する。
【結　論】
　本件審判の請求は、成り立たない。
【理　由】
１．手続の経緯等
　本願は、平成３年１１月２５日の出願であって、平成１２年８月日２５付け、平成１３年９月１０日付け、及び平成１４年１０月日４付けの手続補正書によって補正された明細書及び図面の記載から、本願の請求項１に係る発明（以下、本願発明という。）は、特許請求の範囲の請求項１に記載された次のとおりのものである。
　
「コード情報を解釈しないままコード情報自身を印字するダンプモードを有した情報出力装置において、
　前記ダンプモードへの切り替えを行なう切り替え手段と、
　コード情報群を受信するコード情報受信手段と、
　前記切り替え手段により前記ダンプモードへ切り替えられる前に、コード情報に対して前記ダンプモードで使用される色情報を設定する命令を受信する命令受信手段と、
　前記命令受信手段により受信された命令で指定された色情報を記憶する記憶手段と、
　前記切り替え手段により前記ダンプモードへ切り替えられるのに応じて、前記命令受信手段により受信された命令で指定されて前記記憶手段に記憶されている色情報に従って、前記コード情報受信手段により受信されたコード情報群を、前記ダンプモードで出力部に印字させる出力制御手段とを有することを特徴とする情報出力装置。」
　
２．引用例
　当審において通知した、平成１４年７月３１日付け拒絶理由通知書で引用した特開平１−２８１５２２号公報（以下、引用例という。）には次の記載がされている。
　
（１）「ホストから送られてくる制御コードと文字コードからなるキヤラクタコードをヘキサコードに変換し、ヘキサダンプリストとして出力するヘキサダンプ機能を備えた印字装置において、
　前記ヘキサダンプリストに印字するヘキサコードの制御コードと文字コードとを区別して印字するための識別印字手段を設けたことを特徴とする印字装置。」（第１頁左下欄第５−１２行）
　
（２）「シフトスイツチＳＷ２を押しながらテストスイツチＳＷ５を押すと、ＲＡＭ２９内にビデオデータがなければプリントモードをヘキサダンプモードと通常のプリントモードとに交互に切換え、プリンタがオンラインに戻ると、選択されたモードに設定される。」（第４頁左下欄第１２−１７行）
　
（３）「このように、制御コードを「＜」，「＞」のキヤラクタで挟むことにより、ヘキサダンプリスト上の制御コードと文字コードとを判別し易くなり、プログラムチエツクの際の手間が減ると共に解析時間も大幅に短縮できる。
　なお、この実施例では制御コードの前後を「＜」と「＞」のキヤラクタで挟む例について述べたが、この識別用のキヤラクタを他のキヤラクタに代えても良いし、また制御コードの下部にアンダラインを付加したり、さらに制御コード自体をボールド印字にしたり、イタリツク印字等の装飾キヤラクタにしたり、さらにまた上記のような各種識別手段を文字コードのほうに適するようにしてもよい。」（第５頁右下欄第１０行−第６頁左上欄第３行）
　
（４）「また、この発明の応用として、パーソナルコンピユータ等のＣＲＴ上へのデータダンプも考えられる。
　これは、ＣＲＴ上に表示されるヘキサのキヤラクタコードのうち、ユーザ自身がサーチしたいコードをターミナル（キーボード）より指定することによって、そのコード自体をカラー変更やブリンキングさせたり、あるいはそのコードの下部にアンダラインが付加したりするようにすれば良い。」（第６頁左上欄第１０−１８行）
　
　したがって、引用例には次の発明が記載されているといえる。
　
「ＣＲＴ上へのデータダンプを行なうパーソナルコンピュータにおいて、
　ユーザ自身がサーチしたいコードを指定することによって、そのコード自体をカラー変更させるためのキーボードを有する
　パーソナルコンピュータ。」
　
３．対比
　「ＣＲＴ上へのデータダンプ」を行なうのであるから、引用例の発明は前記２．（１）の記載のような「ホストから送られてくる制御コードと文字コードからなるキヤラクタコードをヘキサコードに変換し、ヘキサダンプリストとして出力するヘキサダンプ機能を備えた」ものであり、ＣＲＴ上に表示することから情報出力装置といえ、「ホストから送られてくる」ということから、「制御コードと文字コードからなる」コード情報群を受信するコード情報受信手段を有することは当然のことといえる。
　また、少なくともＣＲＴ上に表示している間は、「カラー変更」した色情報は当然保持される必要があるから、指定された色情報を記憶する記憶手段を有するものといえる。
　さらに、「ユーザ自身がサーチしたいコードを指定することによって、そのコード自体をカラー変更させる」ものであり、ユーザの指定は情報出力装置に対する命令といえるから、コード情報に対して前記ダンプモードで使用される色情報を設定する命令を受信する命令受信手段と、命令受信手段により受信された命令で指定されて前記記憶手段に記憶されている色情報に従って、前記コード情報受信手段により受信されたコード情報群を、前記ダンプモードでＣＲＴに表示させる出力制御手段を有するものといえる。
　したがって、本願発明と引用例のものは次の点で一致する。
　
「コード情報を解釈しないままコード情報自身を出力するダンプモードを有した情報出力装置において、
　コード情報群を受信するコード情報受信手段と、
　コード情報に対して前記ダンプモードで使用される色情報を設定する命令を受信する命令受信手段と、
　前記命令受信手段により受信された命令で指定された色情報を記憶する記憶手段と、
　前記命令受信手段により受信された命令で指定されて前記記憶手段に記憶されている色情報に従って、前記コード情報受信手段により受信されたコード情報群を、前記ダンプモードで出力させる出力制御手段とを有することを特徴とする情報出力装置。」
　
　また、次の点で相異する。
　
　相違点１
　本願発明が「ダンプモードへの切り替えを行なう切り替え手段」を有するのに対して、引用例のものはそのような手段についての特定がなく、「ＣＲＴ上へのデータダンプ」を行なうダンプモード以外のモードを有するのか否か明らかでない点。
　
　相違点２
　本願発明が印字を行なう情報出力装置であるため、「コード情報を解釈しないままコード情報自身を印字するダンプモードを有した情報出力装置」であり、命令受信手段が「前記切り替え手段により前記ダンプモードへ切り替えられる前に、コード情報に対して前記ダンプモードで使用される色情報を設定する命令を受信する命令受信手段」であり、出力制御手段が「前記切り替え手段により前記ダンプモードへ切り替えられるのに応じて、前記命令受信手段により受信された命令で指定されて前記記憶手段に記憶されている色情報に従って、前記コード情報受信手段により受信されたコード情報群を、前記ダンプモードで出力部に印字させる出力制御手段」であるのに対して、引用例のものはＣＲＴ上に表示するものであり、「カラー変更」のための色情報の設定がどの時点で行なわれるものか明らかでない点。
　
４．相違点に対する判断
　引用例に記載された発明が「ＣＲＴ上へのデータダンプ」のみを行なうものと解することは、きわめて不自然であり、前記２．（２）に「プリントモードをヘキサダンプモードと通常のプリントモードとに交互に切換え」とあるのと同様に、通常のモードからダンプモードへの切り替えを行なう手段を設けることは、当然になされてしかるべきことといえる。
　そして、前記２．（１）−（３）のようにプリンタにコードを区別して印字することにより解析を容易にしたダンプモードを設けることが知られており、カラープリンタも周知のものであるから、ＣＲＴ上に表示する代わりに出力部に印字させるものとすること、また、通常のプリンタでは印字したもののカラー変更が不可能なことから、「カラー変更」のための色情報の設定をダンプモードで出力する前とすることは技術常識からみて当然のことであり、命令受信手段を「前記切り替え手段により前記ダンプモードへ切り替えられる前に、コード情報に対して前記ダンプモードで使用される色情報を設定する命令を受信する命令受信手段」とし、出力制御手段を「前記切り替え手段により前記ダンプモードへ切り替えられるのに応じて、前記命令受信手段により受信された命令で指定されて前記記憶手段に記憶されている色情報に従って、前記コード情報受信手段により受信されたコード情報群を、前記ダンプモードで出力部に印字させる出力制御手段」とすることに困難な点はない。
　したがって、引用例に記載された発明において、相違点１及び２を本願発明のようにすることは当業者が容易になしえることである。
　
５．むすび
　上述のとおり、本願の請求項１に係る発明は、上記引用例に記載された発明に基づいて当業者が容易に発明をすることができたものであるから、特許法第２９条第２項の規定により特許を受けることができない。
　よって、結論のとおり審決する。